(57)【要約】【課題】ＰＣａ部材を用いた梁の施工について、比較的小規模の支保工で施工でき、省人化や工期の短縮化を図ること。【解決手段】柱・梁接合部及び一スパン分の梁部を含む第一のＰＣａ部材の両側に目地部を介して第二、第三のＰＣａ部材を接合する。第一のＰＣａ部材は、接合面間を貫通するシース管と、シース管に沿って設けられた添え筋とを備える。シース管には、第一のＰＣａ部材と第二のＰＣａ部材間に跨る梁主筋と、第一のＰＣａ部材と第三のＰＣａ部材間に跨る梁主筋とが挿入され、添え筋で重ね継手とする。シース管にグラウト材が注入される。【選択図】図６
2015178703.tif 000002
【特許請求の範囲】
【請求項１】
柱・梁接合部、及び、一スパン分の梁部を含む第一のＰＣａ部材と、
前記第一のＰＣａ部材の一方の接合面に目地部を介して接合される第二のＰＣａ部材と、
前記第一のＰＣａ部材の他方の接合面に目地部を介して接合される第三のＰＣａ部材と、を備え、
前記第一のＰＣａ部材は、
前記一方の接合面と前記他方の接合面との間を貫通する第一のシース管と、
前記梁部の途中部位において、前記第一のシース管に沿って設けられた添え筋と、を備え、
前記第二のＰＣａ部材は、前記第一のＰＣａ部材との接合面に開口した第二のシース管を備え、
前記第三のＰＣａ部材は、前記第一のＰＣａ部材との接合面に開口した第三のシース管を備え、
前記第一のシース管には、
前記梁部の前記途中部位から前記第二のシース管に延設される一方の梁主筋と、
前記梁部の前記途中部位から前記第三のシース管に延設される他方の梁主筋と、が挿通し、
前記一方の梁主筋と前記他方の梁主筋とが前記添え筋により重ね継手を構成するように、前記シース管にグラウト材が注入されている、
ことを特徴とする接合構造。
【請求項２】
請求項１記載の接合構造であって、
前記第一のＰＣａ部材の前記柱・梁接合部は、第一の柱部材上に設けられ、
前記第二のＰＣａ部材は、前記第一の柱部材に隣接する第二の柱部材上に設けられる柱・梁接合部と、一スパン分の梁部とを少なくとも含み、
前記第三のＰＣａ部材は、前記第一の柱部材に隣接する第三の柱部材上に設けられる柱・梁接合部と、一スパン分の梁部とを少なくとも含む、
ことを特徴とする接合構造。
【請求項３】
ＰＣａ部材であって、
少なくとも一つの柱・梁接合部と、
一スパン分の梁部と、
前記ＰＣａ部材の一方の端面と他方の端面との間を貫通したシース管と、
前記梁部の途中部位において、前記シース管に沿って設けられた添え筋と、を備える、
ことを特徴とするＰＣａ部材。
【請求項４】
ＰＣａ部材であって、
一スパン分の梁部と、
柱・梁接合部と、
前記ＰＣａ部材の前記梁部側の端面に開口して前記梁部の途中部位まで配設されたシース管と、
前記梁部の前記途中部位から、前記ＰＣａ部材の前記柱・梁接合部側の端面へ延設された梁主筋と、
前記梁部の前記途中部位において、前記シース管及び前記梁主筋に沿って設けられた添え筋と、を備える、
ことを特徴とするＰＣａ部材。
【発明の詳細な説明】
【技術分野】
【０００１】
本発明はＰＣａ（プレキャスト）部材間の接合構造に関する。
【背景技術】
【０００２】
ＰＣａ部材を用いて梁を構築する工法として、特許文献１及び２の工法が提案されている。特許文献１には、梁の長手方向中央部においてＰＣａ部材を接合し、梁主筋間の継手構造として、添え筋をスライドさせて重ね継手とした継手構造を採用したものが開示されている。特許文献２には、コンクリートが現場打ちされる柱・梁接合部の両側の梁を構成するＰＣａ部材の全長に渡ってシース管を設け、シース管内で梁主筋をスライド可能としたものが開示されている。ＰＣａ部材の長手方向中央部には添え筋が埋設されており、梁主筋間の継手構造は重ね継手とされている。
【先行技術文献】
【特許文献】
【０００３】
【特許文献１】特許第４９６１４５６号公報
【特許文献２】特許第３０７２５３４号公報
【発明の概要】
【発明が解決しようとする課題】
【０００４】
特許文献１の工法では、梁の長手方向中央部において接合されるＰＣａ部材毎の支保工が必要となり、支保工が大がかりなものとなる場合がある。支保工が大がかりなものであると、支保工の設置に多大な費用を要すると共に、これを撤去するまで下階で別の作業を行えない場合がある。特許文献２の工法では柱・梁接合部ではコンクリートが現場打ちとなるため、省人化や工期の点で改善の余地がある。
【０００５】
本発明の目的は、ＰＣａ部材を用いた梁の施工について、比較的小規模の支保工で施工でき、省人化や工期の短縮化を図ることにある。
【課題を解決するための手段】
【０００６】
本発明によれば、柱・梁接合部、及び、一スパン分の梁部を含む第一のＰＣａ部材と、前記第一のＰＣａ部材の一方の接合面に目地部を介して接合される第二のＰＣａ部材と、前記第一のＰＣａ部材の他方の接合面に目地部を介して接合される第三のＰＣａ部材と、を備え、前記第一のＰＣａ部材は、前記一方の接合面と前記他方の接合面との間を貫通する第一のシース管と、前記梁部の途中部位において、前記第一のシース管に沿って設けられた添え筋と、を備え、前記第二のＰＣａ部材は、前記第一のＰＣａ部材との接合面に開口した第二のシース管を備え、前記第三のＰＣａ部材は、前記第一のＰＣａ部材との接合面に開口した第三のシース管を備え、前記第一のシース管には、前記梁部の前記途中部位から前記第二のシース管に延設される一方の梁主筋と、前記梁部の前記途中部位から前記第三のシース管に延設される他方の梁主筋と、が挿通し、前記一方の梁主筋と前記他方の梁主筋とが前記添え筋により重ね継手を構成するように、前記シース管にグラウト材が注入されている、ことを特徴とする接合構造が提供される。
【０００７】
また、本発明によれば、ＰＣａ部材であって、少なくとも一つの柱・梁接合部と、一スパン分の梁部と、前記ＰＣａ部材の一方の端面と他方の端面との間を貫通したシース管と、前記梁部の途中部位において、前記シース管に沿って設けられた添え筋と、を備える、ことを特徴とするＰＣａ部材が提供される。
【０００８】
また、本発明によれば、ＰＣａ部材であって、一スパン分の梁部と、柱・梁接合部と、前記ＰＣａ部材の前記梁部側の端面に開口して前記梁部の途中部位まで配設されたシース管と、前記梁部の前記途中部位から、前記ＰＣａ部材の前記柱・梁接合部側の端面へ延設された梁主筋と、前記梁部の前記途中部位において、前記シース管及び前記梁主筋に沿って設けられた添え筋と、を備える、ことを特徴とするＰＣａ部材が提供される。
【発明の効果】
【０００９】
本発明によれば、ＰＣａ部材を用いた梁の施工について、比較的小規模の支保工で施工でき、省人化や工期の短縮化を図ることができる。
【図面の簡単な説明】
【００１０】
【図１】本発明の一実施形態に係る接合構造を用いた架構構造の例を示す模式図。
【図２】（Ａ）〜（Ｃ）はＰＣａ部材の例を示す模式図、（Ｄ）は梁主筋の脱落防止パネルの説明図。
【図３】（Ａ）及び（Ｂ）は図１の架構構造の施工手順の説明図。
【図４】（Ａ）は支保工の別例を示す図、（Ｂ）は挿入器具の例を示す説明図。
【図５】（Ａ）及び（Ｂ）は図１の架構構造の施工手順の説明図。
【図６】（Ａ）及び（Ｂ）は図１の架構構造の施工手順の説明図。
【図７】（Ａ）及び（Ｂ）は図１の架構構造の施工手順の説明図。
【図８】（Ａ）及び（Ｂ）は図１の架構構造の施工手順の説明図。
【図９】（Ａ）及び（Ｂ）は別例の説明図。
【図１０】（Ａ）〜（Ｃ）は別例の説明図。
【図１１】（Ａ）及び（Ｂ）は図１０（Ａ）及び（Ｂ）の架構構造の施工手順の説明図。
【図１２】（Ａ）及び（Ｂ）は図１０（Ａ）及び（Ｂ）の架構構造の施工手順の説明図。
【図１３】（Ａ）及び（Ｂ）は図１０（Ａ）及び（Ｂ）の架構構造の施工手順の説明図。
【図１４】別例の説明図。
【発明を実施するための形態】
【００１１】
＜第一実施形態＞
図１は本発明の一実施形態に係る接合構造を用いた架構構造１の例を示す模式図、図２（Ａ）〜（Ｃ）は架構構造１に用いられるＰＣａ部材の説明図である。
【００１２】
架構構造１は、複数の柱２と、隣接する柱２間に架設された複数の梁３と、柱・梁接合部４と、を含み、多層建築物の単位階層部分（例えば１階部分）を構築している。本実施形態の場合、架構構造１はその全体がＰＣａ部材で構築されており、コンクリートの現場打ち部分が極力少なくなる構成としている。柱２は本実施形態の場合、ＰＣａ部材である柱部材２０で構成されており、その上部には、上層階の柱と接合される柱主筋２１が突出している。
【００１３】
梁３と、柱・梁接合部４とは、図２（Ａ）〜（Ｃ）に示すＰＣａ部材６〜７で構成されている。ＰＣａ部材６〜８のうち、ＰＣａ部材６は図１で真ん中に位置しており、ＰＣａ部材７はＰＣａ部材６の左側に、ＰＣａ部材８はＰＣａ部材６の右側に、それぞれ位置してＰＣａ部材６と接合されている。ＰＣａ部材６とＰＣａ部材７、及び、ＰＣａ部材６とＰＣａ部材８は、それぞれ目地部５を介して接合されている。目地部５は、例えば、数十ｍｍの幅を有し、グラウト材等の目地材によって構成される。
【００１４】
以下、図２（Ａ）〜（Ｃ）を参照してＰＣａ部材６〜８の構成について説明する。なお、ＰＣａ部材６〜８には補強筋等、図示する構成以外の構成も備えるが、説明の都合で図示を省略している。
【００１５】
図２（Ａ）を参照して、ＰＣａ部材６は、柱部材２０上に設けられて、１つの柱・梁接合部４を構成する柱・梁接合部ＰＺと、１つの梁３を構成する一スパン分の梁部ＢＭとを一体的に備えた直方体形状の部材であり、その長手方向（梁３のスパン方向）の一方端面６ａはＰＣａ部材７との接合面を構成し、他方端面６ｂはＰＣａ部材８との接合面を構成する。
【００１６】
ＰＣａ部材６は、部材コンクリート６１と、複数のシース管６２と、梁主筋６３と、複数の添え筋６４と、複数の柱主筋挿入部６５とを備える。シース管６２は、梁主筋６３を挿通させるために部材コンクリート６１に埋設されており、端面６ａと端面６ｂとの間を貫通するよう、ＰＣａ部材６の長手方向に設けられ、これら端面６ａ、６ｂに開口している。本実施形態の場合、一つの梁主筋６３に一つのシース管６２が割り当てられている。したがって、シース管６２は梁主筋６３の数と配設部位に応じて設けられている。なお、各ＰＣａ部材６〜７で梁主筋の数と配設部位は共通の仕様である。
【００１７】
梁主筋６３は、ＰＣａ部材６の全長程度の長さを有しており、シース管６２内に収容されている。梁主筋６３には、シース管６２内での滑動性向上と、シース管６２の中心部への位置決めを目的として、スペーサ６６を複数設けている。スペーサ６６は、例えば、ロックボルト用のスペーサ等を用いることができ、梁主筋６３が挿通する一対の管部と、一対の管部間に設けられた拡径部とを有し、管部で梁主筋６３を支持し、拡径部がシース管６２の内面に摺接する。
【００１８】
添え筋６４は、シース管６２毎にシース管６２に沿って部材コンクリート６１に埋設されている。添え筋６４は、梁部ＢＭの途中部位に設けられており、本実施形態の場合、梁部ＢＭの中央部において所定範囲に渡って長手方向に延設されている。シース管６２には図１に示すように、最終的に、梁主筋６３の端部と、ＰＣａ部材８の梁主筋８３の端部とが近接して添え筋６４の配設領域において、梁主筋６３、８３と添え筋６４とが重なり合う。シース管６２にはグラウト材Ｇが注入され、その強度が発現することにより、梁主筋６３と梁主筋８３とが添え筋６４によって重ね継手を構成することになる。重ね継手とすることで、機械式継手を採用した場合に比べてコストを削減できる。
【００１９】
柱主筋挿入部６５は、柱・梁接合部ＰＺにおいて上下方向に貫通するように形成された孔であり、例えば、シース管により形成される。本実施形態の場合、一つの柱２１に一つの柱主筋挿入部６５が割り当てられている。したがって、柱主筋挿入部６５は梁主筋２１の数と配設部位に応じて設けられている。
【００２０】
次に、図２（Ｂ）を参照してＰＣａ部材７について説明する。ＰＣａ部材７は梁の端部を構成する部材である。ＰＣａ部材７はＰＣａ部材６と同じ構成とすることも可能であるが、梁の端部を構成する点で本実施形態では異なる構成としている。
【００２１】
ＰＣａ部材７は、柱部材２０上に設けられて、１つの柱・梁接合部４を構成する柱・梁接合部ＰＺと、１つの梁３を構成する一スパン分の梁部ＢＭとを一体的に備えた直方体形状の部材であり、その長手方向の一方端面７ａは、架構構造１の梁の端部を構成し、他方端面７ｂはＰＣａ部材６との接合面を構成する。
【００２２】
ＰＣａ部材７は、部材コンクリート７１と、複数のシース管７２と、梁主筋７３と、複数の添え筋７４と、複数の柱主筋挿入部７５とを備える。
【００２３】
シース管７２は、梁主筋６３を挿通させるために部材コンクリート７１に埋設されており、端面７ｂから梁部ＢＭの途中部位（中央部）までＰＣａ部材７の長手方向に設けられており、端面７ｂに開口している。
【００２４】
梁主筋７３は、シース管７２の端部から端面７ａへ延設されており、部材コンクリート７１に埋設されている。梁主筋７３の端面７ａ側の端部には定着部を設けてもよい。
【００２５】
添え筋７４は、シース管７２毎にシース管７２及び梁主筋７３に沿って部材コンクリート７１に埋設されている。添え筋７４は、梁部ＢＭの途中部位に設けられており、本実施形態の場合、梁部ＢＭの中央部において所定範囲に渡って長手方向に延設されている。シース管７２には図１に示すように、最終的に、梁主筋６３が挿入される。これにより梁主筋７３の端部と梁主筋６３の端部とが近接して添え筋７４の配設領域において、梁主筋６３、７３と添え筋７４とが重なり合う。シース管７４にはグラウト材Ｇが注入され、その強度が発現することにより、梁主筋６３と梁主筋７３とが添え筋７４によって重ね継手を構成することになる。
【００２６】
柱主筋挿入部７５は、柱・梁接合部ＰＺにおいて上下方向に貫通するように形成された孔であり、柱主筋挿入部６５と同様である。
【００２７】
次に、図２（Ｃ）を参照してＰＣａ部材８について説明する。ＰＣａ部材８は梁の端部を構成する部材である。ＰＣａ部材８はＰＣａ部材６と同様の構成であるが、柱・梁接合部ＰＺを２つ備えている。
【００２８】
ＰＣａ部材８は、柱部材２０上に設けられて、１つの柱・梁接合部４を構成する柱・梁接合部ＰＺをその両端部に備え、したがって、柱・梁接合部ＰＺを２つ備えている。柱・梁接合部ＰＺ間には、１つの梁３を構成する一スパン分の梁部ＢＭが設けられており、ＰＣａ部材８はこれらを一体的に備えた直方体形状の部材である。ＰＣａ部材８の長手方向の一方端面８ａはＰＣａ部材６との接合面を構成し、他方端面７ｂは架構構造１の梁の端部を構成する。
【００２９】
ＰＣａ部材８は、部材コンクリート８１と、複数のシース管８２と、梁主筋８３と、複数の添え筋８４と、複数の柱主筋挿入部８５とを備える。シース管８２は、シース管６２と同様の構成であり、梁主筋８３を挿通させるために部材コンクリート８１に埋設されており、端面８ａと端面８ｂとの間を貫通するよう、ＰＣａ部材８の長手方向に設けられ、これら端面８ａ、８ｂに開口している。
【００３０】
梁主筋８３は、ＰＣａ部材８の全長程度の長さを有しており、シース管８２内に収容されている。梁主筋８３には、梁主筋６３のスペーサ６６と同様のスペーサ８６が設けられており、シース管８２内での滑動性向上と、シース管８２の中心部への位置決めを図っている。
【００３１】
添え筋８４は、シース管８２毎にシース管８２に沿って部材コンクリート８１に埋設されており、添え筋６４と同様の構成としている。すなわち、添え筋８４は、梁部ＢＭの途中部位に設けられており、本実施形態の場合、梁部ＢＭの中央部において所定範囲に渡って長手方向に延設されている。
【００３２】
シース管８２には図１に示すように、最終的に、梁主筋８３の端部と、梁主筋９の端部とが近接して添え筋８４の配設領域において、梁主筋９、８３と添え筋８４とが重なり合う。シース管８２にはグラウト材Ｇが注入され、その強度が発現することにより、梁主筋９と梁主筋８３とが添え筋８４によって重ね継手を構成することになる。
【００３３】
柱主筋挿入部８５は、２つの柱・梁接合部ＰＺにおいて、それぞれ、上下方向に貫通するように形成された孔であり、上述した柱主筋挿入部６５、７５と同様である。
【００３４】
次に、架構構造１の施工手順の例について主に図３〜図８を参照して説明する。ここでは、図１の左側から順に施工する場合を想定する。まず、図３（Ａ）に示すようにＰＣａ部材７をクレーン等で吊り上げて既設の柱部材２０と、床スラブ上に構築された支保工１１の上に移動し、図３（Ｂ）に示すように柱部材２０と支保工１１の上に降ろす。この時、柱主筋２１を上述した柱主筋挿入部７５に挿入しながら、柱・梁接合部ＰＺが柱部材２０上に搭載される。ＰＣａ部材７は、その端面７ａ側は柱部材２０で、端面７ｂ側は支保工１１で、それぞれ支持される。ＰＣａ部材７が柱・梁接合部ＰＺを備えることで、ＰＣａ部材７の端面７ａ側は支保工１１が不要となり、ＰＣａ部材７を支保工のみで支持する構成と比べて、支保工を減らすことが可能である。その後、次の柱部材２０が施工される。
【００３５】
なお、支保工１１の別例として、例えば、図４（Ａ）に示す支持構造１１’も採用可能である。同図の支持構造１１’は、ＰＣａ部材７の端面７ｂ側も、隣接する柱部材２０に支持させるものであり、Ｌ字型のアングル材９０を備える。アングル材９０の一方の平板部には、ボルト９１が螺着するネジ孔が設けられており、ボルト９１の先端はキャップ９３を介してＰＣａ部材７の底面を支持する。アングル材９０の他方の平板部には、ボルト９２が挿通する孔が設けられており、柱部材２０の上部には、ボルト９２が螺着するインサートが埋設されている。ボルト９２の締結でアングル材９０を柱部材２０に固定し、ボルト９１によりＰＣａ部材７のレベル調整を行うことができる。支持構造１１’の採用により、床スラブから支保工１１を構築する必要が無くなり、工数を削減することが可能となる。
【００３６】
施工手順の説明に戻る。図５（Ａ）に示すように、ＰＣａ部材６をクレーン等で吊り上げて既設の柱部材２０と、支保工１１の上に移動する。ＰＣａ部材６は梁主筋６３がシース管６２に挿入された状態で移動される。これにより、ＰＣａ部材６と梁主筋６３とを別々に移動する場合に比べて工数を削減することが可能となる。シース管６２内における梁主筋６３の滑動性が高い場合、ＰＣａ部材６の移動時にその姿勢次第で、梁主筋６３がシース管６２から滑り出る可能性がある。そこで、例えば、図２（Ｄ）に示すように、シース管６２の端部を蓋１０で一時的に閉鎖してもよい。蓋１０は板状の部材であり、ＰＣａ部材６の端面（図２Ｄの例では端面６ｂ。端面６ａも同様にしてもよい。）にネジ止め等で固定される。これにより、梁主筋６３が滑り出ることを防止できる。
【００３７】
図５に戻り、図５（Ｂ）に示すようにＰＣａ部材６を柱部材２０と支保工１１の上に降ろす。この時、柱主筋２１を上述した柱主筋挿入部６５に挿入しながら、柱・梁接合部ＰＺが柱部材２０上に搭載される。ＰＣａ部材６とＰＣａ部材７とは、互いの接合面６ａ、７ｂが目地空間Ｓをおいて対向するようにこれらが配置された状態となる。目地空間Ｓには、最終的に図１に示した目地材５が注入され、したがって目地空間Ｓは数十ｍｍ程度の隙間である。
【００３８】
次に、梁主筋６３をスライドさせる工程に移る。図６（Ａ）に示すように、主筋挿通治具９を端面６ｂ側からシース管６２に挿入し、梁主筋６３をＰＣａ部材７側へ押し出す。主筋挿通治具９は、本実施形態の場合、梁主筋９（図１）として利用するが、治具専用に用いるものであってもよい。
【００３９】
主筋挿通治具９のシース管６２への押し込みが人力では困難な場合、簡易な機構を構築して作業を行うことができる。図４（Ｂ）はその一例を示す。同図の押し込み補助機構９４は、端面６ｂに仮固定されたリング９４ａ、９４ｂと、主筋挿通治具９の端部に仮固定されたリング９４ｃと、ワイヤ等の紐体９４ｄと、を備える。紐体９４ｄの一端は、リング９４ａに係止され、他端はリング９４ｃ、リング９４ｂを順に通して矢印方向に引っ張られる。すると、主筋挿通治具９にはシース管６２へ挿入する方向の力が作用して、主筋挿通治具９をシース管６２に押し込むことができる。主筋挿通治具９には、スペーサ６６と同様のスペーサ９ａが装着されており、主筋挿通治具９の先端が梁主筋６３の端部に当接して梁主筋６３をスライドさせることができる。
【００４０】
図６に戻り、梁主筋６３は図６（Ｂ）に示すように、ＰＣａ部材７のシース管７２内に進入し、その先端側が添え筋７４と重なる位置まで押し込まれる。梁主筋６３は、ＰＣａ部材６の梁部ＢＭの途中部位から、ＰＣａ部材７の途中部位に渡ってシース管６２、７２に配設された状態となる。その後、主筋挿通治具９をシース管６２から抜き出して、図７（Ａ）の工程に移る。
【００４１】
図７（Ａ）の工程では、ＰＣａ部材８をクレーン等で吊り上げて既設の２つの隣接する柱部材２０上に移動する。ＰＣａ部材８は梁主筋８３がシース管８２に挿入された状態で移動される。その際、ＰＣａ部材６について説明したように、シース管８２の端部を蓋で一時的に閉鎖してもよい。続いてＰＣａ部材８を２つの柱部材２０の上に降ろす。この時、柱主筋２１を上述した柱主筋挿入部８５に挿入しながら、各柱・梁接合部ＰＺが対応する柱部材２０上に搭載される。ＰＣａ部材８は、その両端部が、柱部材２０で支持されるため、支保工が不要である。ＰＣａ部材６とＰＣａ部材８とは、互いの接合面６ｂ、８ａが目地空間Ｓをおいて対向するようにこれらが配置された状態となる。
【００４２】
次に、梁主筋８３をスライドさせる工程に移る。手順はＰＣａ部材６の場合と同様である。図７（Ｂ）に示すように、主筋挿通治具９を端面８ｂ側からシース管８２に挿入し、梁主筋８３をＰＣａ部材６側へ押し出す。梁主筋８３は、ＰＣａ部材６のシース管６２内に進入し、その先端側が添え筋６４と重なる位置まで押し込まれる。梁主筋８３は、ＰＣａ部材６の梁部ＢＭの途中部位から、ＰＣａ部材８の途中部位に渡ってシース管６２、８２に配設された状態となる。主筋挿通治具９はシース管８２から抜き出さずに梁主筋９として利用し、図８（Ａ）の状態となる。
【００４３】
この後、シース管６２、７２、８２へのグラウト材Ｇの注入作業及び目地空間Ｓへの目地材の注入作業を行い、図８（Ｂ）の状態となる。グラウト材Ｇ、目地材の強度が出現した後、支保工１１を撤去すると図１の状態になる。梁主筋７３と梁主筋６３との間は添え筋７４による重ね継手が構成される。梁主筋６３と梁主筋８３との間は添え筋６４による重ね継手が構成される。梁主筋８３と梁主筋９との間は添え筋８４による重ね継手が構成される。
【００４４】
以上の通り、本実施形態では、ＰＣａ部材６〜８が柱・梁接合部ＰＺを有することで、既設の柱部材２０を利用してＰＣａ部材６〜８を支持することができ、支保工１１を削減できる。コンクリートの現場打ちの部分が残らず、フルＰＣａ化が実現でき、省人化や工期の短縮化を図ることができる。また、目地部５が梁３の中央部に位置せず、端部に位置するので、外装デザインに与える影響を低減することができる。
【００４５】
＜第二実施形態＞
第一実施形態では、ＰＣａ部材６の途中部位からＰＣａ部材８の端面８ｂまでの梁主筋を、梁主筋８３と梁主筋９の二部材構成としたが、一部材構成としてもよい。この場合、ＰＣａ部材８内に梁主筋間の継手が不要であることから添え筋８４が不要となる。図９（Ａ）及び（Ｂ）はその説明図である。同図の例では、第一実施形態のＰＣａ部材８に代えてＰＣａ部材８’が採用されている。ＰＣａ部材８’は、ＰＣａ部材８から添え筋８４を省略した構成であり、他は同じである。
【００４６】
図９（Ａ）は、梁主筋８３’をシース管８２に挿通する工程を示しており、第一実施形態の図７（Ｂ）の工程に置き換わる。梁主筋８３’は、梁主筋８３と梁主筋９の合計の長さを有しており、端面８ｂ側からシース管８２に挿入され、図９（Ｂ）に示すように、ＰＣａ部材６の途中部位からＰＣａ部材８の端面８ｂまで延在する状態となる。
【００４７】
なお、梁主筋８３’はＰＣａ部材８のシース管８２に事前に挿入し、ＰＣａ部材８の移動時にＰＣａ部材８と共に移動してもよい。この場合、ＰＣａ部材８から一部がはみ出した状態となる。
【００４８】
＜第三実施形態＞
柱・梁接合部ＰＺに、梁部ＢＭのスパン方向と直交する方向にシース管を設けることで、梁部ＢＭのスパン方向と直交する方向の梁部材を接続することもできる。図１０（Ａ）及び（Ｂ）はその接続例の一例を示している。図中、矢印Ｘ、Ｙは互いに直交する水平方向を示し、矢印Ｚは上下方向を示す。
【００４９】
ＰＣａ部材６’は、上述したＰＣａ部材６にシース管６７を追加した構成の部材である。ＰＣａ部材６’は、梁部ＢＭのスパン方向がＸ方向となるように配設され、第一実施形態や第二実施形態で例示した接合手順でＸ方向に列状に接合される。ＰＣａ部材６’の列は、Ｙ方向に離間して複数列配設されており、図１０（Ａ）及び（Ｂ）の例では３列である。
【００５０】
ＰＣａ部材６’の列間には、ＰＣａ部材１００が接合されている。ＰＣａ部材１００はそのスパン方向がＹ方向とされ、柱・梁接合部ＰＺ間に目地部５を介して接合されている。
【００５１】
シース管６７は、ＰＣａ部材１００の梁主筋を挿通するためにＹ方向に設けられており、柱・梁接合部ＰＺの側面間を貫通している。ＰＣａ部材６’には、上述したシース管６２が埋設されているため（図１０（Ａ）及び（Ｂ）では不図示）、シース管６７は、シース管６２と干渉しない位置に埋設される。
【００５２】
図１０（Ｃ）を参照して、ＰＣａ部材１００は、上述したＰＣａ部材６やＰＣａ部材８から柱・梁接合部ＰＺを除いた構成となっており、端面１００ａ、１００ｂ（いずれも接合面）、部材コンクリート１０１、複数のシース管１０２、複数の添え筋１０４を備えている。シース管１０２はシース管６７に対応する位置に配設される。
【００５３】
図１０（Ｂ）を参照して、梁主筋１１１、１１３は、ＰＣａ部材１００の全長の半分とＰＣａ部材６’の柱・梁接合部ＰＺの幅（Ｙ方向）分とを加算した長さを有し、梁主筋１１２は、ＰＣａ部材１００の全長分と柱・梁接合部ＰＺの幅分とを加算した長さを有している。
【００５４】
図１１〜図１３を参照して図１０（Ａ）及び（Ｂ）に示した架構構造の施工手順の例について説明する。ここでは、図１０（Ｂ）での左側から順に施工する場合を想定する。
【００５５】
図１１（Ａ）に示すように、左列のＰＣａ部材６’を吊り上げてその柱・梁接合部ＰＺを左側の柱部材２０上に設置する。梁部ＢＭは不図示の支保工で支持する。続いて、ＰＣａ部材１００を吊り上げて、その両端部に配置された支保工１１上に設置する。ＰＣａ部材６’とＰＣａ部材１００とは、互いの接合面（柱・梁接合部ＰＺの側面と端面１００ａ）が目地空間Ｓをおいて対向するようにこれらが配置された状態となる。
【００５６】
柱・梁接合部ＰＺの側面からシース管６７に梁主筋１１１を挿入する。梁主筋１１１は図１１（Ｂ）に示すように、ＰＣａ部材１００のシース管１０２内に進入し、その先端側が添え筋１０４と重なる位置まで押し込まれる。梁主筋１１１は、ＰＣａ部材１００の途中部位から、ＰＣａ部材６’の側面（外側）に渡ってシース管６７、１０２に配設された状態となる。
【００５７】
次に図１２（Ａ）に示すように、中央列のＰＣａ部材６’を吊り上げてその柱・梁接合部ＰＺを中央の柱部材２０上に設置する。また、次のＰＣａ部材１００を吊り上げて、その両端部に配置された支保工１１上に設置する。前回設置のＰＣａ部材１００と今回設置のＰＣａ部材６’とは、互いの接合面（端面１００ｂと柱・梁接合部ＰＺの側面）が目地空間Ｓをおいて対向するようにこれらが配置された状態となる。また、今回設置のＰＣａ部材６’今回設置のＰＣａ部材１００とは、互いの接合面（柱・梁接合部ＰＺの側面と端面１００ａ）が目地空間Ｓをおいて対向するようにこれらが配置された状態となる。
【００５８】
梁主筋１１３を主筋挿通治具として用い、今回設置のＰＣａ部材１００のシース管１０２に挿入されている梁主筋１１２をスライドさせる。梁主筋１１２は図１２（Ｂ）に示すように、中央列のＰＣａ部材６’のシース管６７を通過し、その先端側が前回設置のＰＣａ部材１００の添え筋１０４と重なる位置まで押し込まれる。梁主筋１１２は、前回設置のＰＣａ部材１００の途中部位から、中央列のＰＣａ部材６’を通って今回設置のＰＣａ部材１００の途中部位に渡ってシース管１０２、６７、１０２に配設された状態となる。その後、主筋挿通治具として用いた梁主筋１１３をシース管１０２から抜き出して、図１３（Ａ）の工程に移る。
【００５９】
図１３（Ａ）の工程では、右列のＰＣａ部材６’を吊り上げてその柱・梁接合部ＰＺを右側の柱部材２０上に設置する。前回設置のＰＣａ部材１００と今回設置のＰＣａ部材１０７とは、互いの接合面（端面１００ｂと柱・梁接合部ＰＺの側面）が目地空間Ｓをおいて対向するようにこれらが配置された状態となる。
【００６０】
梁主筋１１３を右列のＰＣａ部材６’の柱・梁接合部ＰＺの側面（外側）からシース管６７に挿入する。梁主筋１１３は図１３（Ｂ）に示すように、今回設置のＰＣａ部材６’のシース管６７を通過し、その先端側が前回設置のＰＣａ部材１００の添え筋１０４と重なる位置まで押し込まれる。梁主筋１１３は、前回設置のＰＣａ部材１００の途中部位から、今回設置のＰＣａ部材６’の側面に渡ってシース管１０２、６７に配設された状態となる。
【００６１】
この後、シース管６７、１０２へのグラウト材Ｇの注入作業及び目地空間Ｓへの目地材の注入作業を行う。グラウト材Ｇ、目地材の強度が出現した後、支保工１１を撤去すると図１０（Ｂ）の状態になる。梁主筋１１１と梁主筋１１２との間、及び、梁主筋１１２と梁主筋１１３との間は添え筋１０４による重ね継手が構成される。
【００６２】
本実施形態では、ＰＣａ部材６にシース管６７を追加したＰＣａ部材６’を例示したが、ＰＣａ部材７やＰＣａ部材８にも同様にシース管６７に相当するシース管を追加することも可能である。
【００６３】
また、ＰＣａ部材６’と同様の構成で、Ｘ方向、Ｙ方向の各梁主筋、シース管が干渉しないように配置された２種類のＰＣａ部材を互いに直角に接続することも可能である。図１４はその一例を示している。ＰＣａ部材６ＡとＰＣａ部材６Ｂとは、ＰＣａ部材６’と同様の構成であるが、上述したシース管６２、６７の配置が異なるものである。ＰＣａ部材６ＡをＸ方向に接合し、ＰＣａ部材６ＢをＹ方向に接合することで、上述した接合構造を実現でき、２種類のＰＣａ部材で外周フレームを構築できる。
【符号の説明】
【００６４】
ＢＭ  梁部
Ｇ  グラウト材
ＰＺ  柱・梁接合部
Ｓ  目地空間
５  目地部
６〜７、６’、６Ａ、６Ｂ、１００  ＰＣａ部材
６２、６７、７２、８２、１０２  シース管
９、６３、７３、８３、１１１〜１１３  梁主筋
６４、７４、８４、１０４  添え筋
【図１】
2015178703.tif 000003
【図２】
2015178703.tif 000004
【図３】
2015178703.tif 000005
【図４】
2015178703.tif 000006
【図５】
2015178703.tif 000007
【図６】
2015178703.tif 000008
【図７】
2015178703.tif 000009
【図８】
2015178703.tif 000010
【図９】
2015178703.tif 000011
【図１０】
2015178703.tif 000012
【図１１】
2015178703.tif 000013
【図１２】
2015178703.tif 000014
【図１３】
2015178703.tif 000015
【図１４】
2015178703.tif 000016